(57)【要約】【課題】現地での設置工事にいて、無線周波数を実際の周波数に合わせ、通常の設置状態での通信を確認し、休止時間の無線がないときに受信無線信号の強度の平均値を出力してダイアル動作で無線通信の正常終了を確認する自動検針用無線装置を提供する。【解決手段】親機は、リセットスイッチと、機能スイッチと、チャンネルスイッチと、保守発呼スイッチと縁組みスイッチを備え、子機は、リセットスイッチと、縁組スイッチと、チャンネルスイッチと、機能スイッチとを備えている。親機と子機との設置工事における縁組に際して、マイクロコンピュータ部は、受信無線信号の強度であるＲＳＳＩ値をアナログ値からデジタル値に変換し、デジタルで平均化等の処理をした上で、該ＲＳＳＩ値をアナログ値として出力し、親機と子機を一定時間内で動作させて親機と子機の間の無線通信設置条件を確認する。【選択図】図５
2007279790.tif 000002
【特許請求の範囲】
【請求項１】
センター側装置に電話回線、携帯電話、ＰＨＳなどの情報網を介して接続された端末網制御装置と、該端末網制御装置に有線接続された端末網制御装置を兼ねる無線親機である親機と、無線子機である子機と、個々の該子機に有線接続されたメータと、によって構成されており、
前記親機の指示により前記子機が前記メータの検針値を前記親機に報告する自動検針を実施する自動検針用無線装置において、
前記親機は、リセットスイッチと、機能スイッチと、チャンネルスイッチと、保守発呼スイッチと、縁組みスイッチを備え、
前記子機は、リセットスイッチと、縁組スイッチと、チャンネルスイッチと、機能スイッチを備え、
前記親機と前記子機との設置工事における縁組に際して、受信無線信号の強度であるＲＳＳＩ値をアナログ値からデジタル値に変換し、該デジタル値についての演算処理の後にアナログ値に戻し、該ＲＳＳＩ値を当該アナログ値として出力し、
前記親機と前記子機を一定時間内で動作させて前記親機と前記子機の間の無線通信設置条件を確認すること
を特徴とする自動検針用無線装置。
【請求項２】
前記親機は、前記一定時間内で前記子機に対して検針情報である旨を送信し、前記子機は前記検針値を返答することを特徴とする請求項１に記載の自動検針用無線装置。
【請求項３】
前記子機は、前記一定時間内で前記親機に対して検針情報を送信することを特徴とする請求項１〜２に記載の自動検針用無線装置。
【請求項４】
前記子機は、前記一定時間内で前記親機に対して複数の接点情報を送信することを特徴とする請求項１〜３に記載の自動検針用無線装置。
【請求項５】
前記親機及び前記子機は、自動検針に使用するチャンネルの信号を用いて無線送受信を確認することを特徴とする請求項１〜４に記載の自動検針用無線装置。
【請求項６】
前記親機及び前記子機は、自動検針に使用するチャンネルの信号を用いて前記ＲＳＳＩ値の平均値を出力することを特徴とする請求項１〜５に記載の自動検針用無線装置。
【請求項７】
前記親機は、自動検針に使用するチャンネルの信号を用いて前記ＲＳＳＩ値の平均値を補間して連続出力することを特徴とする請求項１〜６に記載の自動検針用無線装置。
【請求項８】
前記親機は、自動検針に使用するチャンネルの信号を用いて無線送受信を行い、該無線送受信が正常に通信したとき、特定の電話番号に電話をすることを特徴とする請求項１〜７に記載の自動検針用無線装置。
【発明の詳細な説明】
【技術分野】
【０００１】
本発明は、電話回線を利用してセンター側装置と接続され、センター側装置との間でノーリンギング通信を行う端末網制御装置を兼ねる無線親機と、ＬＰガス、都市ガス、水道、電気等のメータと接続されている無線子機とを備えており、当該メータを自動検針することを可能にする自動検針用無線装置に関する。
【背景技術】
【０００２】
従来の端末網制御装置のノーリンギング通信システムを使用した自動検針システムは、図７に示すように、需要家に設置された端末網制御装置（Ｔ−ＮＣＵ）６に、ＬＰガスメータ７、都市ガスメータ８、水道メータ９、電力メータ１０、セキュリティ機器１１、接点機器５５、宅内電話機１２の端末側装置が接続されており、ホスト装置１やセンター側網制御装置（Ｃ−ＮＣＵ）２を有するセンター側装置と、端末網制御装置（Ｔ−ＮＣＵ）６を含む端末側装置とが、センター側交換局３とノーリンギングトランク５を備えた端末側交換局４とを経由して電話回線を介して接続されている。通信システムは、センター側装置から端末側装置を呼び出す場合、電話機を鳴動させずに端末機を呼び出すノーリンギング通信によるデータ伝送を使用して、ホスト装置１からのガスメータ７〜５５等の自動検針や端末発呼によるセキュリティ機器からの異常（例えばガス漏れ）通知が行われている。
【０００３】
これに対して、端末網制御装置（Ｔ−ＮＣＵ）６とメータ７〜１１，５５の間を配線工事が不必要な無線接続した無線接続自動検針システムが採用されている。各メータ７〜５５等の端末側装置は、無線装置子機に接続され、該無線装置子機から無線回線を介して無線装置親機を兼ねる端末網制御装置６に接続されている。
【０００４】
図６に示す無線接続自動検針システムにおいては、メータ７〜１１，５５は、無線装置子機１４〜１６に有線にて接続され、無線装置子機１８から無線回線を介して無線装置親機を兼ねる端末網制御装置（Ｔ−ＮＣＵ）６０に接続されている。端末用網制御装置６０から電話回線１３を介して端末側交換局４に接続されている。端末側交換局４は電話回線を介してノーリンギング通信用網制御装置であるセンター側網制御装置（Ｃ−ＮＣＵ）２を介してホスト装置１に接続されている。また、端末側交換局４の両端にはノーリンギングトランク５が接続されている。
【０００５】
このように構成される自動検針用無線装置において、メータ等７〜１１，５５で計測された水道、電気、ガス等の使用量データをホスト装置１で収集するには、ホスト装置１からセンター側網制御装置２、センター側交換局３、端末側交換局４、ノーリンギングトランク５を介して端末網制御装置６０にノーリンギング着信し、該端末網制御装置６０から更に無線装置親機及び無線装置子機１４〜１６を介してメータ等７〜１１，５５を呼び出して、ホスト装置１とメータ等７〜１１，５５との間でデータ通信を行い、これによりメータ等７〜１１，５５で計測した使用量データをメータ等７〜１１，５５から逆の経路を介してホスト装置１に伝送し、ホスト装置１に収集するようになっている。
【０００６】
無線親機６０及び無線子機１４〜１６は、固有の暗証番号を持っており、設置工事の際の初期設定動作において、互いの暗証番号を確認することにより相互の無線通信が可能となる縁組み動作を行う必要がある。縁組み動作は、無線親機６０及び無線子機１４〜１６
の縁組みスイッチを一時、押すことによって行われる。この動作は、無線親機６０及び無線子機１４〜１６の距離が両手で届く範囲内で実施できる。
【０００７】
無線親機側において、保守発呼スイッチとリセットスイッチを同時に押した後、リセットスイッチのみを離す操作を行い、ＬＥＤが２回点滅したのを確認後、直ちに保守発呼スイッチを離す操作を行うことにより、設置工事モードになる。無線子機側において、縁組スイッチとリセットスイッチを同時に押した後、リセットスイッチのみを離す操作を行い、ＬＥＤが２回点滅したのを確認後、直ちに縁組スイッチを離す操作を行う。これにより、設置工事作業モードを開始できる設定状態となる。
【０００８】
設置工事作業では、親機が１０ｃｈを使用した連続無線送信を行い、無線子機側では、１０ｃｈを使用した連続無線受信を行い、連続無線通信に於ける受信無線信号強度であるＲＳＳＩ値を図５（Ｂ）に示すＡ／Ｄ変換入力で測定する。その結果は、ＬＥＤの点滅で表示される。ＬＥＤが３回点滅すれば電波強度がもっとも良い良好状態であり、２回点滅すれば電波強度が良好状態よりは悪いが使用可能な良状態であり、１回点滅するだけであれば、電波強度が悪く使用不可能であることが確認できる。この連続無線通信は、単に無線電波の強度を測定する目的であり、送信電文、受信電文は意味を持たない。
【０００９】
一対の無線機相互間で送信電波を送受信してその受信レベルを互いに測定し、測定した受信レベルについての情報を一方の無線機から他方の無線機に送信することで一対の無線機相互間における両受信レベルについての情報を収集することにより、１人の作業者で実施する場合であっても、各無線機間を移動することなく、無線機相互間の受信レベル情報を収集し得る受信レベル情報収集方法が提供されている（特許文献１）。
また、検針機からの要求により、無線送受信機から計量器の検針結果信号を送信し、これを検針機で受信して検針する無線検針装置であって、縁組後に設置する適正な場所選びを含む設置工事において、無線通信を行う際に互いの親子関係を確認し、縁組をしたもの同士が通信可能となり、縁組関係にないもの通信についてはノイズとみなすものが提案されている（特許文献２）。
【特許文献１】特開２００２−２９０２６６号公報
【特許文献２】特開２００１−１８８９９１号公報
【発明の開示】
【発明が解決しようとする課題】
【００１０】
実際の無線検針には無線信号の１ｃｈから６ｃｈを使用するが、これら１ｃｈから６ｃｈは、連続送信ができない帯域であり、休止時間を必要とする。このため、無線電波の強度（エネルギー）を測定する目的には、実際の無線検針と異なり、連続送信が可能である７ｃｈ以上、例えば、１０ｃｈを用いていた。
【００１１】
しかしながら、設置場所における実際に無線検針に使用する周波数である１ｃｈから６ｃｈの帯域に雑音となる信号があれば、正規の信号以外で受信無線信号の強度であるＲＳＳＩ値が変化することがわかった。
【００１２】
これは、ノイズであり設置場所の検討を再度することが必要になる。設置工事において、１０ｃｈ等、実際に使用しない帯域を使用すると、設置工事の段階で１ｃｈから６ｃｈの帯域に雑音となる信号があることはわからず、実際の無線通信で通信エラーを引き起こすことになる。
【００１３】
そこで、上記に実情を考慮して、端末網制御装置兼、無線親機及び無線子機の現地での設置工事における無線周波数を実際の周波数に合わせ、通常の設置状態での通信で確認するとともに、休止時間の無線がないときは、送信中の受信無線信号の強度の平均値を出力し、併せて、ダイアル動作で無線通信が正常終了であることを確認し、電話回線側の配線工事も確認可能にする点で解決すべき課題がある。
【課題を解決するための手段】
【００１４】
上記の課題を解決するため、この発明による自動検針用無線装置は、センター側装置に電話回線、携帯電話、ＰＨＳなどの情報網を介して接続された端末網制御装置と、該端末網制御装置に有線接続された端末網制御装置を兼ねる無線親機である親機と、無線子機である子機と、個々の該子機に有線接続されたメータと、によって構成されており、前記親機の指示により前記子機が前記メータの検針値を前記親機に報告する自動検針を実施する自動検針用無線装置において、前記親機は、リセットスイッチと、機能スイッチと、チャンネルスイッチと、保守発呼スイッチ、縁組みスイッチとを備え、前記子機は、リセットスイッチと、縁組スイッチと、チャンネルスイッチと、機能スイッチとを備え、前記親機と前記子機との設置工事における通信に際して、受信無線信号の強度であるＲＳＳＩ値をアナログ値からデジタル値に変換し、該デジタル値についての演算処理の後にアナログ値に戻し、該ＲＳＳＩ値をアナログ値として出力し、前記親機と前記子機を一定時間内で動作させて前記親機と前記子機の間の無線通信設置条件を確認することを特徴としている。
【発明の効果】
【００１５】
本発明による自動検針用無線装置は、現場設置において、実際の検針動作で使用するのと同じ周波数のチャンネルで、実際の親機側からの検針動作、子機側からの検針動作、子機側からの接点動作を繰り返して設置工事を確認ができる。また、上記と同じ周波数のチャンネルで無線電波の強度測定を実施することができるため、このときに通信エラーならば、直ぐに対応できて後日に再調整が必要となるトラブルを防止でき、設置工事の効率化になる。また、特殊な治工具を使用することなく、検針情報の確認、接点情報の確認ができるので、配線、機能確認の短縮化にも寄与する。
【００１６】
また、センター側の連携をとらなくても、電話回線の確認がすむというメリットもある。
【００１７】
また、設置場所を決める際に、無線強度の平均値が得られて、なおかつ無線出力の休止時間での値が補完されて出てくるので、場所の設定が容易になる。特殊な治具を用いないでも可能である。
【００１８】
検針がうまくいかない場合、機能スイッチでの条件で通信動作が確認できるので、問題点を絞り込むことができる。
【００１９】
上記の例では一定時間として１０分間の繰り返す例であるが、状況によりこの時間を短くして、工事の設置時間を短縮することも可能である。
【発明を実施するための最良の形態】
【００２０】
以下、本発明による自動検針用無線装置の実施形態を、図１から図５を参照して詳細に説明する。
【００２１】
図１、図２に本発明による自動検針用無線装置の構成を示す。本発明の実施形態を示す端末網制御装置が適用されたシステム構成としては、「背景技術」の欄で説明した図６に示された無線親機６０及び無線子機１４を含む端末網制御装置が適用されたシステム構成図と基本的に同様である。
【００２２】
図１は、本発明による無線親機６０（図６）のブロック図である。無線送受信については、無線制御回路部２０は電波の送信、受信、誤り制御等を行い、無線モジュール部１９は電波の増幅、変調、復調、キャリアセンス等を行い、電波法に準拠した電波の送受信を制御して、アンテナ１８から無線子機１４〜１６との間で送受信が行われる。これらはすべて、マイクロコンピュータ部２１により決定される。表示回路部４０は無線親機６０の状態を表すためＬＥＤ３９を点灯させる。これらの各部に対して、通常は、ＡＣアダプタ部３８から、電源回路部３６により、各部に電源が供給される。
【００２３】
停電又はＡＣアダプタのコンセント抜け等の場合については、停電検知回路３７からの信号により、電池３５の電源スイッチ３４がＯＮして、ＤＣ／ＤＣ電源回路部３３を通じて各部に電源が供給される。
【００２４】
無線親機６０の基礎データ内容は記憶部４１のＥＥＰＲＯＭに記憶されるので、停電の際も記憶内容は維持されている。
【００２５】
交換機側の電話回線は、回線用モジュラージャック２２に接続される。耐雷性能を上げるために、電話回線側に耐雷回路部２３が設けてある。宅内電話機又は自分自身のオフフック検知のためのブロックがオフフック検知部２４である。この回路により、宅内電話機と通信が衝突することがなく、また自分自身のオフフック動作の確認ができる。
【００２６】
極反検知部２５は、電話回線の緩リバースを検知して、ＮＲＳ検知回路部３０と動作して、自分自身がホスト装置により選択されたのか否かを判断する。また、極反検知部２５は、電話回線のリンガー信号も検出し、信号の一部は、プレリンガー信号検知回路部２８にも供給され、Ｌモード通信の宅内電話機にも対応が可能である。
【００２７】
ループ回路部２９は、端末発呼時にオフフックするための回路であり、ダイアルパルスのための回路でもある。半ループ回路部３１は、ノーリンギング通信時のインピーダンスを保持するための部分である。モデム回路部３２は、ＤＴＭＦ信号でプッシュホンダイアル信号の発生を行い、また端末通信時、ノーリンギング通信時にＦＭ通信を行うモデムの部分である。セキュリティインターフェイス部４２は、無線親機６０の外部との機器のインターフェイス部である。ここには、ＪＩＳ７ビット形式の機器が接続される。
【００２８】
無線親機６０の保守発呼回路部５４の機能は、ホスト装置に対して、登録された無線子機と定期的に通信を行う機能であり、過去に正常応答を経験したが、新たな通信時に無応答となった場合に、発呼する機能を有する。ＲＳＳＩ回路部４７は、無線強度に応じた直流電圧を出力する。チャンネル入力回路部５３は、無線通信時のチャンネルを設定する。機能スイッチ回路部４８は、無線通信の確認時の機能設定である。
【００２９】
図２は、本発明による、図６に示す無線子機１４のブロック図である。親機と重複する部分は説明を省略する。メータ・接点インターフェイス部４９は、５ビットメータ又は接点機器の接続部である。本発明と従来の違いは、機能スイッチとチャンネル入力を追加して機能向上が図られたことである。
【００３０】
図３は、図１に示す無線親機６０のマイクロコンピュータ部２１を中心とする回路図であり、表示回路部４０、リセット回路部４３、縁組回路部４６、機能スイッチ回路部４８、チャンネル入力回路部５３及び保守発呼回路部５４を示している。機能スイッチ回路部４８の機能スイッチ１は、親機からの無線検針通信動作を設定する。機能スイッチ２は、無線子機からの無線検針検針定時発呼動作を設定する。機能スイッチ３は、接点動作の即時発呼を設定する。機能スイッチ４は、機能スイッチ１，２，３と共に用いられ、機能スイッチ１，２，３が正常に送受信できた場合に、特定の相手に電話をかける動作を設定する。
【００３１】
具体的な使用方法を述べると、無線親機６０及び無線子機１４は、機能スイッチが、オンしていないときには、従来の無線確認動作モードの状態にある。これは、無線連続波での設置状況確認の前提である。
【００３２】
従来の無線確認動作モードについて述べる。図３において、無線親機６０の保守発呼回路部５４における保守発呼スイッチＳＷ３００と、リセット回路部４３のリセットスイッチＳＷ１００を同時に押す。次に、リセットスイッチＳＷ１００を先に離す。このとき、ＬＥＤ３９ランプが２回点滅する。２回目の点滅後すぐに、保守発呼スイッチＳＷ３００を離す動作によって、無線親機６０は無線確認動作モードになる。
【００３３】
この際に使用するのは、連続送信の可能な帯域としてマイコンに設定されたデフォルトの７ｃｈ以上の周波数、例えば１０ｃｈとなる。リセットスイッチＳＷ１００を押すことにより、親機、子機ともに通常の動作モードに戻る。
【００３４】
無線子機１４〜１６については、図４に示すように、縁組回路部４６の縁組スイッチＳＷ２００と、リセット回路部４３のリセットスイッチＳＷ１００を同時に押す。次に、リセットスイッチＳＷ１００を先に離す。このとき、ＬＥＤ３９ランプが２回点滅する。２回目の点滅後すぐに、縁組スイッチＳＷ２００を離す動作によって１０ｃｈの連続受信モードになる。
【００３５】
子機１４〜１６は、受信無線信号の強度であるＲＳＳＩ値の電圧をアナログ入力でデジタル信号に変換して、無線強度の比較を行う。この比較の結果をＬＥＤ３９（図２）にて、表示を行う。検針値が正常に送信されたときは、３回ないし２回点滅表示する。子機に対して正常終了でない信号、又は規定時間内に無線信号が受信できなかった場合は、ＬＥＤ３９を１回点滅させて、失敗を表示する。これは従来の表示・確認の方法であるが、連続的な送受信を確認するにはこれでよい。しかし、実際の無線通信で検針を確認するためには、本発明により実施することができる。
【００３６】
設置場所において、全て連続波で確認することは、多大な労力と時間を必要とする。設置工事においては、短時間に且つ的確に無線通信の良否が判断できることが望ましい。本発明は、このような場合に特に有効である。
【００３７】
親機６０、子機１４（又は１５，１６；以下同じ）ともに、機能スイッチ４００の１のみがオンされている場合、親機６０は、一定時間内で子機１４に対して検針情報である旨を送信し、子機１４は検針値を返答する。また、親機６０及び子機１４は、自動検針に使用するチャンネルの信号を用いて無線送受信を確認する。
【００３８】
無線親機６０のチャンネルスイッチを所定のチャンネルに設定した後、無線親機６０における保守発呼回路部５４の保守発呼スイッチＳＷ３００と、リセット回路部４３におけるリセットスイッチＳＷ１００を同時に押す。次に、リセットスイッチＳＷ１００を先に離すと、ＬＥＤ３９が２回点滅する。ＬＥＤ３９の２回目の点滅を確認した上で、速やかに保守発呼スイッチＳＷ３００を離す。以上により、無線親機６０は、無線確認動作モードになる。
【００３９】
これらのスイッチは、電流の消費を抑えるために、表示回路部４０のトランジスタＱ５００をオンさせたタイミングで、機能スイッチ回路部４８の機能スイッチＳＷ４００の状態及びチャンネル入力回路部５３のチャンネルスイッチＳＷ５００の状態を瞬時に読み取る。チャンネルスイッチＳＷ５００で規定されたチャンネルで、親機６０から子機１４に対して無線検針通信動作を行う。つまり親機６０から子機１４に対して、検針情報として呼び出しを行い、子機１４は親機６０の無線により、ガスメータ７に対してデータを読み出しにいく。次に、子機１４は、検針値である検針データを親機６０に送信する。親機６０が子機１４のデータの受信に成功した場合は、ＬＥＤ３９を３回点滅させて、正常な通信ができたことを表示する。正常な通信でないときは１回点滅となる。正常な通信ができた場合には、子機１４に正常終了を送信する。
【００４０】
子機１４は親機６０と同様、機能スイッチＳＷ４００、チャンネルスイッチＳＷ５００を同じ設定にしておく。検針値の送信に成功した場合は、ＬＥＤ３９を３回点滅表示する。親機６０からの正常終了でない信号を受信した場合、もしくは規定時間内に無線送受信が通信できなかった場合は、ＬＥＤ３９を１回点滅させて、失敗を表示する。表示は親機６０、子機１４ともに同じ内容である。
【００４１】
この通信動作を、一定の規定時間、例えば１０分間繰り返し実施する。通信がうまくいかないときも、一定時間の経過後、再度同じルーチンを繰り返すことで、複数回の通信試験を行う。正常通信の場合、失敗通信の場合をカウントすることによって、設置場所に対する評価ができる。１回失敗しても、実際の通信では複数回のリトライ動作が行われるので、必ずしも１００％通信が正常終了でなくてもよい。あくまでも正常な設置条件か否かの判断材料である。この試験は、無線の設置場所に対する評価が第一目的であるが、同時に、配線状況の確認も兼ねている。それゆえに、各種の実際の通信動作にできるだけ合わせて、無線の送受信モードを確認することも必要である。
【００４２】
この設定は、センター装置からのノーリンギング通信に代わるもので、無線部の送受信動作を明確にすることである。実際の検針での無線チャンネルのメイン周波数は、このチャンネルスイッチＳＷ５００で設定されたチャンネルが、次の設定まで有効である。親子が異なったチャンネルに設定の場合はＬＥＤ点滅になる。メインチャンネルが使用不可のときは、一定の変換方式でサブチャンネルに移行する。
【００４３】
次に、親機６０、子機１４（又は、１５，１６；以下同じ）ともに、機能スイッチＳＷ４００の２のみがオンされている場合には、子機１４は、一定時間内で親機６０に対して検針情報を送信する。
【００４４】
チャンネルスイッチＳＷ５００で規定されたチャンネルで、子機１４から親機６０に対して、無線検針通信動作を行う。つまり子機１４がメータの検針データを読み取り、親機６０に無線送信する。親機６０は子機１４からのデータを受信すると、ＬＥＤ３９を３回ないし２回点滅させて成功を表示する。子機１４からの情報が受信されない場合はＬＥＤ３９を１回点滅させて失敗を表示する。子機１４側も正常に通信を行った場合にはＬＥＤ３９を３回ないし２回点滅表示し、正常な通信を行えなかった場合にはＬＥＤ３９を１回点滅させて失敗を表示する。
【００４５】
この通信動作を一定の規定時間、例えば１０分間に繰り返し実施する。正常通信の場合と失敗通信の場合をそれぞれカウントすることによって、設置場所の評価ができる。この評価方法はメータ等７〜１１，５５からの端末発呼通信に代わるもので、無線部の送受信動作を明確にすることである。
【００４６】
次に、親機６０、子機１４（又は、１５，１６；以下同じ）ともに、機能スイッチＳＷ４００の３のみがオンされている場合には、子機１４は一定時間内で親機６０に対して複数の接点情報を送信する。
【００４７】
チャンネルスイッチＳＷ５００で規定されたチャンネルで、子機１４から親機６０に対して無線接点通信動作を行い、子機１４から親機６０に子機１４の第１の接点情報を親機６０に対して送信する。親機６０は子機１４からの第１の接点情報を受信するとＬＥＤ３９を３回ないし２回点滅させて成功を表示する。子機１４からの第１の接点情報が受信されない場合は、ＬＥＤ３９を１回点滅させて失敗を表示する。
【００４８】
この通信動作を、一定の規定時間、例えば１０分間に繰り返し実施する。正常通信の場合と失敗通信の場合をそれぞれカウントすることにより設置場所に対する評価ができる。この設定は、メータからの接点動作発呼通信に代わるもので、無線部の送受信動作を明確にすることである。
【００４９】
次に、親機６０及び子機１４が共に、機能スイッチ回路部４８において機能スイッチ４がオンされていると、機能スイッチ１〜３がオンされている動作に加えて、予め設定された電話番号先に自動的に電話をかける。センター装置に電話の場合、ホスト装置が出て、メータ検針の場合、接点動作の場合の通信動作を正常に終了できる。
【００５０】
機能スイッチ４がオンの場合、電話回線を含めて、特殊な工具を使うことなく、配線と通信動作の確認ができるメリットがある。
【００５１】
図７は、無線受信の無線信号強度であるＲＳＳＩ値の出力の抽出図である。この場合、親機６０及び子機１４（又は、１５，１６；以下同じ）は、自動検針に使用するチャンネルの信号を用いてＲＳＳＩ値の平均値を出力する。また、親機６０は、自動検針に使用するチャンネルの信号を用いてＲＳＳＩ値の平均値を補間して連続出力する。
【００５２】
図７（Ａ）が本発明の場合であり、図７（Ｂ）は従来の場合である。受信ＩＣから出力されるＲＳＳＩ信号は電波の状況に応じて時々刻々と変化する。従来の場合は、この信号が、一部はコンパレータに接続されて、一定値を越えた場合にスケルチ（ＳＱ）入力にハイ信号が入る。このハイ信号でマイコンは一定のレベルの無線が受信されていることを確認し無線通信動作に移行する。
【００５３】
ＲＳＳＩ信号は、ＲＳＳＩ出力端子にも接続されているため、この端子をテスター等で測定することによりＲＳＳＩ値が測定できる。無線送受信で無線出力の休止時間があれば、当然その時間帯は、無線信号なしであるから、ＲＳＳＩ信号のレベルは無線信号なしに相当する低いレベルになる。
【００５４】
従来は、受信ＩＣの出力値がそのままＲＳＳＩ出力に出ていた。このため、時々刻々の変化がある場合、平均値の計算が必要となる。またＬＥＤ３９で電界強度を表示するために、この信号がアナログ入力をデジタルデータに変更（Ａ／Ｄ変換）して、記憶部４１の値と比較し段階的な表示に利用していた。
【００５５】
本発明は、アナログ入力をデジタルデータに変換して（Ａ／Ｄ変換）２秒間の平均値化を行った後、得られたデジタル値をアナログ値に変換し（Ｄ／Ａ変換）、Ｄ／Ａ変換出力をＲＳＳＩ出力とするので、アナログ入力の平均値計算の必要がなく、ＲＳＳＩ出力を直接読み取ることで平均値が測定できる。また、周期的に発生する２秒間の休止時間に対しては、休止時間直前の２秒間のＲＳＳＩの値をＡ／Ｄ変換回路に読み込み、この平均値をＤ／Ａ変換回路からＲＳＳＩ出力するので、休止時間においては補間した平均値が出力され、連続して無線強度測定が可能である。
【００５６】
本発明では、上記に示すように、機能スイッチ及びチャンネル入力スイッチにより、動作モードが変更できたが、他の実施例としては、設定器という特殊な治工具を使用して通信電文により同様機能の動作を行わすことが可能であるが、本発明は、一般的なスイッチ、ＬＥＤ等のみにより実施可能である。
【図面の簡単な説明】
【００５７】
【図１】本発明における無線親機のブロック図。
【図２】本発明における無線子機のブロック図。
【図３】無線親機のリセット回路部、縁組み回路部、保守発呼回路部、機能スイッチ回路部、チャンネル入力部の抜粋回路図。
【図４】同上無線子機のリセット回路部、縁組み回路部、保守発呼回路部、機能スイッチ回路部、チャンネル入力部の抜粋回路図。
【図５】無線強度ＲＳＳＩ出力回路図（Ａ）と従来の回路図（Ｂ）。
【図６】従来の自動検針用無線装置のシステム図。
【図７】従来の自動検針用装置のシステム図。
【図８】従来の無線親機のリセット回路部、縁組み回路部、保守発呼回路部の抜粋回路図。
【図９】従来の無線子機のリセット回路部、縁組み回路部、保守発呼回路部の別の抜粋回路図。
【符号の説明】
【００５８】
１；ホスト装置                      ２；センター側網制御装置
３；センター側交換局                ４；端末側交換局
５；ノーリンギングトランク          ６；無線親機端末網制御装置を兼ねる無線親機
７；ＬＰガスメータ                  ８；都市ガスメータ
９；水道メータ                    １０；電力メータ
１１；セキュリティ機器              １２；宅内電話機
１３；電話回線                      １４；無線子機１
１５；無線子機２                    １６；無線子機Ｎ
１８；アンテナ                      １９；無線モジュール部
２０；無線制御回路部                ２１；マイクロコンピュータ部
２２；回線用モジュラージャック      ２３；耐雷回路部
２４；オフフック検知部              ２５；極反検知部
２６；宅内用モジュラージャック      ２７；宅内電話機話中検知部
２８；プレリンガー検知部            ２９；ループ回路部
３０；ＮＲＳ検知回路部              ３１；半ループ回路部
３２；モデム回路部                  ３３；ＤＣ／ＤＣ電源回路部
３４；電源スイッチ部                ３５；電池
３６；電源回路部                    ３７；停電検知部
３８；ＡＣアダプタ部                ３９；ＬＥＤ３９部
４０；表示回路部                    ４１；記憶（ＥＥＰＲＯＭ）部
４２；セキュリティインターフェイス部      ４３；リセット回路部
４４；電源オフ部                    ４５；電池電圧検知部
４６；縁組回路部                    ４７；ＲＳＳＩ回路部
４８；機能スイッチ入力回路部        ４９；メータ・接点インターフェイス部
５３；チャンネル入力部              ５４；保守発呼部
５５；接点機器
ＳＷ１００；リセットスイッチ        ＳＷ２００；縁組スイッチ
ＳＷ３００；保守発呼スイッチ        ＳＷ４００；機能スイッチ
ＳＷ５００；チャンネルスイッチ
【図１】
2007279790.tif 000003
【図２】
2007279790.tif 000004
【図３】
2007279790.tif 000005
【図４】
2007279790.tif 000006
【図５】
2007279790.tif 000007
【図６】
2007279790.tif 000008
【図７】
2007279790.tif 000009
【図８】
2007279790.tif 000010
【図９】
2007279790.tif 000011